(57)【要約】      （修正有）【課題】ケーシング内にある多数個の小型のスプリングの絡みをほぐして、確実に搬送すること。また、搬送の自動化、合理化、省人化等を図ることで弊害を解消し、スプリングのように絡みつき易い品物に関しても搬送できるようにする。【解決手段】エアの給排気口５，６を有する開閉自在のケーシング１を設け、ケーシング１の底面１０１を半截形態の略擂鉢状に、また天井面を略山形状にそれぞれ形成し、底面１０１の略擂鉢状の傾斜面１０１ａと、天井面の略山形状の山形傾斜面とが略同じ方向に位置する構成とする。【選択図】図１
2006315821.tif 000002
【特許請求の範囲】
【請求項１】
エアの給排気口を有する開閉自在のケーシングを設け、このケーシングの底面を半截形態の略擂鉢状に、また天井面を略山形状にそれぞれ形成し、この底面の略擂鉢状の傾斜面と、天井面の略山形状の山形傾斜面とが略同じ方向に位置する構成としたスプリングフィダー。
【請求項２】
請求項１に記載のエアの排気口を複数個とし、この複数個の排気口にそれぞれホースを接続するとともに、この排気口に補助エアを送る補助ホースをそれぞれ設ける構成としたスプリングフィダー。
【請求項３】
請求項１に記載のエアの排気口を、略山形状の天井面の平坦部に設け、望ましくはこの平坦部の窪み箇所に開口する構成としたスプリングフィダー。
【請求項４】
請求項１に記載の底面を樹脂製の底板に、また天井面を樹脂製の天板にそれぞれ設ける構成としたスプリングフィダー。
【発明の詳細な説明】
【技術分野】
【０００１】
本発明は、スプリングを１個ずつ所定の箇所に搬送するスプリングフィダーに関する。
【背景技術】
【０００２】
従来、この種の小型のスプリング（例えば、指先で押圧かつ開放できる小型で線径が細いスプリング）を１個ずつ所定の箇所に搬送（供給）する手段としては、通常人手による原始的な方法であった。従って、非能率であること、またコストの上昇を招来すること等の弊害が指摘されていること、またこの弊害を改良する手段として自動化も考えられているが、未だ望ましい手段が見当たらないのが現況である。
【０００３】
尚、エアを利用して物を搬送する技術（文献）として、例えば、加工部品、パチンコ玉等を搬送する装置が挙げられる。例えば、工場、商店等に設置されるパーツフィダー（部品搬送装置）がある。この装置は、加工部品の如く、絡みつかない部品（品物）を振動ヒーター内に収容し、この振動及び／又は略一個が通過できる搬送路（分離通路）を介して順次（一個ずつ）搬送する構成である。また先行文献として、例えば、特開平８−３３７６６号の「パチンコ玉搬送装置」がある（文献（１）とする）。しかし、この発明は、タンク（箱）内のパチンコ玉（加工部品等）を、ホース内に圧送されるエアの押圧を利用して搬送する構成であり、パチンコ玉を多数個圧送する。そして、この文献（１）は、パチンコ玉といった搬送において、絡みつかない部品を搬送することから、単にホース内に圧送されるエアによる手段が可能となる。また一個ずつを確実に搬送するには、必ずしも十分とは云えない。
【０００４】
【特許文献１】特開平８−３３７６６号
【発明の開示】
【発明が解決しようとする課題】
【０００５】
前述の如く、従来の手作業の手段では、煩雑かつ非能率であり、しかも人手を要することとなり、その改良は必須の状況である。
【０００６】
またパーツフィダーは、品物の中で絡みつかないものを搬送するには適する。しかし、構造上から検討すると、本発明が意図するスプリングを一個ずつ搬送には必ずしも十分とは考えられない。
【０００７】
さらに前記文献（１）は、パチンコ玉といった絡みつかないものの搬送には適するものと考えられる。しかし、この文献（１）は、本発明が意図するスプリングの如き、絡みつくことが必須であって、しかも多数個のスプリングの中から一個ずつを確実に搬送するには適さない構成である。
【０００８】
そこで、本発明は、少なくともケーシング（ケース、箱等の収容手段）内にある多数個のスプリングの絡みをほぐして、確実に搬送すること、又は搬送の自動化、合理化、省人化等を図ることで、前述の弊害を解消し、またこの種のスプリングのように絡みつき易い品物に関しても同じような効果（同効）を達成すること等を意図する。また本発明は、装置の小型化を達成して、工場及び／又は装置の省スペース化を図ること、省動力（電力）化を達成すること等を意図する。
【課題を解決するための手段】
【０００９】
請求項１の発明は、少なくともケーシング内にある多数個のスプリングの絡みをほぐして、確実に搬送すること、又は搬送の自動化、合理化、省人化等を図ることで、前述の弊害を解消し、またこの種のスプリングのように絡みつき易い品物に関しても同効を達成すること等を意図する。また本発明は、装置の小型化を達成して、工場及び／又は装置の省スペース化を図ること、省動力化を達成すること等を意図する。
【００１０】
請求項１は、エアの給排気口を有する開閉自在のケーシングを設け、このケーシングの底面を半截形態の略擂鉢状に、また天井面を略山形状にそれぞれ形成し、この底面の略擂鉢状の傾斜面と、天井面の略山形状の山形傾斜面とが略同じ方向に位置する構成としたスプリングフィダーである。
【００１１】
請求項２の発明は、請求項１の目的を達成すること、又は効率的にスプリングを搬送すること等を意図する。
【００１２】
請求項２は、請求項１に記載のエアの排気口を複数個とし、この複数個の排気口にそれぞれホースを接続するとともに、この排気口に補助エアを送る補助ホースをそれぞれ設ける構成としたスプリングフィダーである。
【００１３】
請求項３の発明は、請求項１の目的を達成すること、又はこの目的を達成するのに最適なスプリング用の排気口（排気装置）を提供すること等を意図する。
【００１４】
請求項３は、請求項１に記載のエアの排気口を、略山形状の天井面の平坦部に設け、望ましくはこの平坦部の窪み箇所に開口する構成としたスプリングフィダーである。
【００１５】
請求項４の発明は、請求項１の目的を達成すること、又はこの目的を達成するのに最適で、確実な構造の排気口を提供すること等を意図する。
【００１６】
請求項４は、請求項１に記載の底面を樹脂製の底板に、また天井面を樹脂製の天板にそれぞれ設ける構成としたスプリングフィダーである。
【発明の効果】
【００１７】
請求項１の発明は、エアの給排気口を有する開閉自在のケーシングを設け、ケーシングの底面を半截形態の略擂鉢状に、また天井面を略山形状にそれぞれ形成し、底面の略擂鉢状の傾斜面と、天井面の略山形状の山形傾斜面とが略同じ方向に位置する構成としたスプリングフィダーである。
【００１８】
従って、請求項１は、少なくともケーシング内にある多数個のスプリングの絡みをほぐして、確実に搬送できること、又は搬送の自動化、合理化、省人化等が図れることで、前述の弊害を解消し、またこの種のスプリングのように絡みつき易い品物に関しても同効を達成できること等の特徴を有する。また本発明は、装置の小型化を達成して、工場及び／又は装置の省スペース化が図れること、省動力化が達成できること等の実益を有する。
【００１９】
請求項２の発明は、請求項１に記載のエアの排気口を複数個とし、複数個の排気口にそれぞれホースを接続するとともに、排気口に補助エアを送る補助ホースをそれぞれ設ける構成としたスプリングフィダーである。
【００２０】
従って、請求項２は、請求項１の目的を達成できること、又は効率的にスプリングを搬送できること等の特徴を有する。
【００２１】
請求項３の発明は、請求項１に記載のエアの排気口を、略山形状の天井面の平坦部に設け、望ましくはこの平坦部の窪み箇所に開口する構成としたスプリングフィダーである。
【００２２】
従って、請求項３は、請求項１の目的を達成できること、又はこの目的を達成するのに最適なスプリング用の排気口（排気装置）を提供できること等の特徴を有する。
【００２３】
請求項４の発明は、請求項１に記載の底面を樹脂製の底板に、また天井面を樹脂製の天板にそれぞれ設ける構成としたスプリングフィダーである。
【００２４】
従って、請求項４は、請求項１の目的を達成できること、又はこの目的を達成するのに最適で、確実な構造の排気口を提供できること等の特徴を有する。
【発明を実施するための最良の形態】
【００２５】
本発明の一例を説明する。
【００２６】
以下、本発明の一例を説明する。
【００２７】
１はスプリングＷ用の収容部１ｃを備えたケーシングで、このケーシング１は環状の（望ましくは、樹脂製の透明部材を使用する）ケーシング本体１００と、このケーシング本体１００の下部に設けた半截形態の略擂鉢状の傾斜面１０１ａを有する底面１０１と、このケーシング本体１００の上部に設けた略山形状の山形傾斜面１０２ａを有する天井面１０２とで構成する。この底面１０１は底板１ａに、また天井面１０２は天板１ｂに形成する。そして、この例では、底板１ａ及び／又は天板１ｂを滑り抵抗の少ない樹脂製（易滑性樹脂）を採用する。しかし、この易滑性樹脂は一例であるので、他の部材、例えば、金属、ガラス、陶器等に代替することは可能である。尚、ケーシング１は、この例では樹脂製の透明部材を採用した。しかし、この部材は一例であるので、他の部材、例えば、金属、ガラス、陶器等に代替することは可能である。そして、この例では、ケーシング本体１００と底板１ａと天板１ｂとで、スプリングＷ用の収容部１ｃを備えたケーシング１を構成する。尚、この図示の例では、ケーシング１を縦置き構造とするが、横置き構造の例も可能である。
【００２８】
尚、この底面１０１の略擂鉢状の傾斜面１０１ａと、天井面１０２の略山形状の山形傾斜面１０２ａとを、略同じ方向に位置する構成として、図１及び図２に図示するように、対流気流Ａ（旋回気流）を形成して、スプリングＷの絡みつきの解除と、後述する排気口へのスプリングＷの確実な供給等を図ることを意図する。
【００２９】
この天板１ｂにスプリングＷ用の投入口１ｄを設け、この投入口１ｄには蝶番２で開閉する蓋３が設けられる。この蓋３と天板１ｂとはロック４及び／又はパッキン（図示しない）を介して気密に保持される。この構成を採用することで、このケーシング１の収容部１ｃは、気密に保持される。尚、蓋３の部材は、前述と同様に考えられる故に、易滑性樹脂、金属、ガラス、陶器等とする。
【００３０】
そして、この天板１ｂには、エアの供給口５と、エアの排気口６（排気口６は、スプリングＷの吸込み口を兼ねることから、断面視して台形状の口「開放側が広い口」を呈する）とが設けられており、この供給口５、排気口６は収容部１ｃに開口する。またこの供給口５、排気口６にはそれぞれホース５０、６０が設けられる。そして、この例では、排気口６を二本として効率的及び／又は確実な搬送と、複数の箇所への搬送等を図る。またこの各排気口６には詰まり解消と、前記の各目的を達成するために、補助エアを供給する補助供給管７、７（７とする）を備えている。そして、この例では、排気口６に連通する排気管６１、６１（６１とする）の略中央に傾斜した状態で設け、エアを排気口６の開口に向かって噴射する構成とする。またこの補助供給管７の補助供給管ノズル７１が、排気管６１に開口する。またこの補助供給管７はホース７０、７０（７０とする）に接続される。図中５１は供給管を示す。尚、供給口５はノズル方式もあり得る。
【００３１】
尚、排気口６は天井面１０２の平坦部１０２ｂに設け、旋回するスプリングＷの一個を確実に捕捉できる構成とすることが理想である。
【００３２】
次にケーシング１へのスプリングＷの供給と、ケーシング本体１００と、底板１ａ、天板１ｂ及び対流気流Ａ、吐出用のポンプ（図示しない）で供給されるエアとによる搬送、撹拌等を利用して、収容部１ｃに充填されたスプリングＷの搬送を説明する。蓋３を開放して収容部１ｃに所定数のスプリングＷ（ケーシングの容量の１／３程度が理想である）を充填する。そして、ケーシング１を密封した後、供給口５を介してエアを供給すると、この収容部１ｃ内のスプリングＷが対流気流Ａに添って移動（躍るように旋回流動）  しながら、例えば、スプリングＷの絡みがとかれて、略整然と旋回する（絡みのないスプリングＷはより簡単である）。この旋回途中にスプリングＷは、このケーシング１内のエアが排気口６に接続された排気管６１及びホース６０を介してケーシング１外に運ばれる過程において、このスプリングＷは、この排気口６に向かったエアに吸付けられるようにして排気口６に導かれる。その後、エアとともに排気口６等を介してケーシング１外に運ばれる。そして、二本タイプの排気口６等を備えた構成では、交互又は同時に前述の作用が行われるとともに、さらに複雑な対流気流Ａが発生して、一層の効果が期待できる。尚、エアは間欠的、連続的等自由であり、使用の状況で採用される。
【００３３】
また補助供給管７の補助供給管ノズル７１から、エアを排気管６１に向かって噴射する。例えば、エアを排気管６１の途中から排気口６に向かって吹き降ろす（一例である）ように噴射して、この排気管６１及び／又は排気口６にあるスプリングＷの絡み及び／又は詰まり等の解消を図る。またこのエアの噴射を介して効率的な吸込み、分離又は搬送等を図ることを目的とする。
【００３４】
尚、場合により、排気口６を利用して吸込み用のポンプ（図示しない）を利用することもあり得る。
【図面の簡単な説明】
【００３５】
【図１】本発明の一部欠截の側面図
【図２】図１に示した例の正面図
【図３】図１に示した例の一部欠截の平面図
【図４】図１に示した例の排気口、排気管及びホースを示した拡大正面図
【図５】図４の要部の拡大正面図
【図６】スプリングの一例を示す拡大斜視図
【符号の説明】
【００３６】
１              ケーシング
１００          ケーシング本体
１ａ            底板
１ｂ            天板
１ｃ            収容部
１ｄ            投入口
１０１          底面
１０１ａ        傾斜面
１０２          天井面
１０２ａ        山形傾斜面
１０２ｂ        平坦部
２              蝶番
３              蓋
４              ロック
５              供給口
５０            ホース
５１            供給管
６              排気口
６０            ホース
６１            排気管
７              補助供給管
７０            補助ホース
７１            補助供給管ノズル
Ａ              対流気流
Ｗ              スプリング
【図１】
2006315821.tif 000003
【図２】
2006315821.tif 000004
【図３】
2006315821.tif 000005
【図４】
2006315821.tif 000006
【図５】
2006315821.tif 000007
【図６】
2006315821.tif 000008